(57)【要約】【課題】光ディスク再生装置に使用される光ピックアップにおいて、ポータブル性を重視するため超薄型化を目的とする。【解決手段】フレキシブル基板ユニット２４と、光学台１９と、押さえバネＡ３３とから構成される光ピックアップにおいて、押さえバネＡ３３は、取付部３３ａで光学台１９にビス止めされると同時にそのほぼ反対側の一部３３ｂが、光学台１９の突起部１９ｂおよび略平面部１９ｃに狭持され、フレキシブル基板２４とともに光学台１９にほぼ密着固定され、薄型の光ピックを実現できる。【選択図】図１
2004206880.tif 000002
【特許請求の範囲】
【請求項１】
対物レンズと、マグネットと、前記対物レンズおよび前記マグネットを一体的に保持するレンズホルダーと、前記対物レンズをディスクに対し垂直方向と半径方向の２軸に移動可能なようにレンズホルダーを支持するように一端を前記レンズホルダーに固定された４本のサスペンションワイヤと、前記４本のサスペンションワイヤの他端が固定されるサスペンションホルダーと、前記マグネットに対向して前記レンズホルダーを２軸に駆動するためのコイルが巻装されたボビンと、前記ボビンおよび前記サスペンションホルダーを固定保持し、前記レンズホルダーおよびサスペンションワイヤを保護するようにディスク側に構成されたアクチュエータベースと、前記アクチュエータベースを調整固定して保持する光学台と、ＤＶＤＬＤユニットと、前記ＤＶＤＬＤユニットを光出射側とは背面方向にて実装可能なフレキシブル基板と、前記フレキシブル基板に実装されている高周波モジュール基板と、前記高周波モジュール基板をシールドするためのシールドケースと、前記ＤＶＤＬＤユニットの光出射側とは背面方向にて前記高周波モジュール基板を実装したフレキシブル基板部を折り畳み前記高周波モジュール基板を覆うよう前記シールドケースにて固定されたフレキシブル基板ユニットと、前記ＤＶＤＬＤユニットが光出射側方向に光軸を中心軸として回転可能なように取り付けられた光学台と、前記ＤＶＤＬＤユニットが脱落しないよう前記シールドケースを光軸方向に押さえつけるよう前記光学台に固定されたユニット押さえバネと、前記光学台に前記ＤＶＤＬＤユニットから出射された光を前記対物レンズに入射するよう構成された光学系を有し、前記光学台に前記アクチュエータベースを調整固定した時、前記ボビンの前記アクチュエータベースに固定されている側の反対側で、前記光学台に固定されていることを特徴とした光ピックアップ。
【発明の詳細な説明】
【技術分野】
【０００１】
本発明は、ディスクに光スポットを投影して記録再生を行う光ピックアップに関するものである。
【背景技術】
【０００２】
従来光ピックアップは例えば特許文献１が知られている。この特許文献１に記載されている内容を図５、図６を用いて説明する。
【０００３】
図５は従来の光ピックアップの構成を示す分解斜視図であり、図６は従来の光ピックアップの構成を示す斜視図である。図５、図６において、４１は対物レンズであり、４２ａは対物レンズ４１を保持するレンズホルダーであり、このレンズホルダー４２ａにはディスクに対し接線方向４３ａと同じ方向に着磁されたマグネット４４ａ、４４ｂが対物レンズ４１をはさんで固定されている。このレンズホルダー４２ａはディスクに対し垂直方向４３ｂと半径方向４３ｃの２軸に移動可能なよう固定枠４２ｂから４本のワイヤー４２ｃにて片持ち固定されている。
【０００４】
また、固定枠４２ｂにはマグネット４４ａ、４４ｂと極めて近接してボビン組立４５ａ、４５ｂがＡＣＴ基板４９を挟んで取り付けられている。このボビン組立４５ａ、４５ｂには、ディスクに対し垂直方向４３ｂの軸にフォーカスコイル４６ａ、４６ｂと、ディスクに対し垂直方向４３ｂの軸に対し同方向にトラッキングコイル４７ａ、４７ｂが直接巻装されている。また、ボビン組立４５ａ、４５ｂには４本のピン４８が樹脂成形にて形成されており、フォーカスコイル４６ａ、４６ｂ及びトラッキングコイル４７ａ、４７ｂの始端、終端をからげ固定している。このからげ部とＡＣＴ基板４９とが半田付けされており、ＡＣＴ基板４９の端子が前記２つのコイルと導通されている。
【０００５】
このように構成された固定枠４２ｂはＡＣＴベース５０に固定されており、また前記固定枠４２ｂにはアクチュエータカバー６８がディスクに対し略平行に固定され、対物レンズ駆動装置５１を形成している。この対物レンズ駆動装置５１は光学台５２の球面に接しており、２本のアオリネジ５３とＡＣＴ押さえバネ５４にて押さえつけられると同時に球面に沿って摺動可能となっている。
【０００６】
また、フレキシブル基板ユニット５５には、ＤＶＤＬＤユニット５６がレーザーの出射方向と逆方向に実装されており、高周波モジュール基板５７も実装されている。高周波モジュール基板５７部はＤＶＤＬＤユニット５６の背面側に折り畳めるようになっており、シールドケース５８にて高周波モジュール基板５７を包むようにかぶせて積層固定されている。また、フレキシブル基板ユニット５５には、ほかにＣＤＬＤユニット５９、コネクタ６０、チップボリューム６７、並びに電子部品６１がそれぞれ実装されている。
【０００７】
ＤＶＤＬＤユニット５６は、レーザー出射方向に光軸中心に対し回転可能なように光学台５２に取り付けられており、ＣＤＬＤユニット５９は、光学台５２にネジ固定されたＣＤＭ取付板６２にレーザー出射方向に光軸中心に対し回転可能なように取り付けられている。また、フレキシブル基板ユニット５５のコネクタ６０、チップボリューム６７が実装されている部分はディスクに対し垂直方向４３ｂに前記光学台５２の側面に固定されており、ＤＶＤＬＤユニット５６並びにＣＤＬＤユニット５９はユニット押さえバネ６３にてそれぞれの光軸方向に押さえられている。
【０００８】
また、光学台５２にはＤＶＤＬＤユニット５６から出射された光は波長プリズム６４を透過し、コリメートレンズ６５にて平行光になり、立ち上げミラー６６で９０°に反射されるような光学部品が取り付けられている。反射された光は対物レンズ４１に入射され、ディスクで反射された後、同じ光路を戻ってくる。ＣＤＬＤユニット５９から出射された光は波長プリズム６４で反射された後、ＤＶＤＬＤユニット５６と同じ光路をたどり、ＣＤＬＤユニット５９に戻ってくる。
【０００９】
上記構成の光ピックアップはユニット押さえバネ６３をディスクに対し垂直方向４３ｂから構成されており、ＤＶＤＬＤユニット５６の背面に固定されたシールドケース５８を覆うように光軸方向に押さえつけている。
【００１０】
図６において、５２は光学台であり、５６は光軸を中心軸として回転可能なように取り付けられているＤＶＤＬＤユニットであり、ＤＶＤＬＤユニット５６の背面にはフレキシブル基板ユニット５５が１８０°に折り畳まれており、さらにその背面には、高周波モジュール基板５７がフレキシブル基板ユニット５５に実装され、一連の構成部品を高周波モジュール基板５７を覆うようにシールドケース５８にて固定されている。ＤＶＤＬＤユニット５６からシールドケース５７まではシールドケース５７にて固定されているが、光学台５２とはユニット押さえバネ６３にてディスクに対し垂直方向４３ｂからのバネにて光軸方向に押さえつけられている。
【特許文献１】特開平１１−３１２３３２号公報
【発明の開示】
【発明が解決しようとする課題】
【００１１】
上記の従来の光ピックアップにおいては、ボビン組立４５ａ、４５ｂはＡＣＴ基板４９に固定されているが、レンズホルダー４２ａを駆動する反力を受け、微少に変位することによりアクチュエータの良好な制御特性が得られない。
【００１２】
本発明は、上記従来の問題点に鑑み、光学台にアクチュエータベースを調整固定した時、ボビンのアクチュエータベースに固定されている側の反対側で、光学台に固定し、良好なアクチュエータの制御特性を得るとともに、光ピックアップのほぼ中央部に支柱状にボビンを構成することにより剛性の高い光ピックアップを提供することを目的とする。
【課題を解決するための手段】
【００１３】
この課題を解決するために本発明の光ピックアップは、対物レンズと、マグネットと、前記対物レンズおよび前記マグネットを一体的に保持するレンズホルダーと、前記対物レンズをディスクに対し垂直方向と半径方向の２軸に移動可能なようにレンズホルダーを支持するように一端を前記レンズホルダーに固定された４本のサスペンションワイヤと、前記４本のサスペンションワイヤの他端が固定されるサスペンションホルダーと、前記マグネットに対向して前記レンズホルダーを２軸に駆動するためのコイルが巻装されたボビンと、前記ボビンおよび前記サスペンションホルダーを固定保持し、前記レンズホルダーおよびサスペンションワイヤを保護するようにディスク側に構成されたアクチュエータベースと、前記アクチュエータベースを調整固定して保持する光学台と、ＤＶＤＬＤユニットと、前記ＤＶＤＬＤユニットを光出射側とは背面方向にて実装可能なフレキシブル基板と、前記フレキシブル基板に実装されている高周波モジュール基板と、前記高周波モジュール基板をシールドするためのシールドケースと、前記ＤＶＤＬＤユニットの光出射側とは背面方向にて前記高周波モジュール基板を実装したフレキシブル基板部を折り畳み前記高周波モジュール基板を覆うよう前記シールドケースにて固定されたフレキシブル基板ユニットと、前記ＤＶＤＬＤユニットが光出射側方向に光軸を中心軸として回転可能なように取り付けられた光学台と、前記ＤＶＤＬＤユニットが脱落しないよう前記シールドケースを光軸方向に押さえつけるよう前記光学台に固定されたユニット押さえバネと、前記光学台に前記ＤＶＤＬＤユニットから出射された光を前記対物レンズに入射するよう構成された光学系を有し、前記光学台に前記アクチュエータベースを調整固定した時、前記ボビンの前記アクチュエータベースに固定されている側の反対側で、前記光学台に固定されているように構成としたものである。
【００１４】
これにより、アクチュエータ駆動時の反力を受けてもボビンは微少に変位しないため良好なアクチュエータの制御特性を得るとともに、光ピックアップのほぼ中央部に支柱状にボビンを構成することでより剛性の高い光ピックアップを提供できる。
【発明の効果】
【００１５】
本発明によれば、対物レンズ駆動装置の一部であるボビンのアクチュエータベースに固定された部分と反対側の脚部が光学台に固定されているため、ボビンが、光ピックの上面に位置するアクチュエータベースと下面に位置する光学台をつなぐ柱のようになり、アクチュエータベースと光学台が直接固定されていることもあって、強固な立体構造を実現している。またボビン自身も、上下でしっかり固定されるため、対物レンズ駆動時にマグネットから受ける反力によって有害な振動や変位を発生することもなく、本来の特性を損なうことのない光ピックを実現できることとなる。
【発明を実施するための最良の形態】
【００１６】
本発明は、対物レンズと、マグネットと、前記対物レンズおよび前記マグネットを一体的に保持するレンズホルダーと、前記対物レンズをディスクに対し垂直方向と半径方向の２軸に移動可能なようにレンズホルダーを支持するように一端を前記レンズホルダーに固定された４本のサスペンションワイヤと、前記４本のサスペンションワイヤの他端が固定されるサスペンションホルダーと、前記マグネットに対向して前記レンズホルダーを２軸に駆動するためのコイルが巻装されたボビンと、前記ボビンおよび前記サスペンションホルダーを固定保持し、前記レンズホルダーおよびサスペンションワイヤを保護するようにディスク側に構成されたアクチュエータベースと、前記アクチュエータベースを調整固定して保持する光学台と、ＤＶＤＬＤユニットと、前記ＤＶＤＬＤユニットを光出射側とは背面方向にて実装可能なフレキシブル基板と、前記フレキシブル基板に実装されている高周波モジュール基板と、前記高周波モジュール基板をシールドするためのシールドケースと、前記ＤＶＤＬＤユニットの光出射側とは背面方向にて前記高周波モジュール基板を実装したフレキシブル基板部を折り畳み前記高周波モジュール基板を覆うよう前記シールドケースにて固定されたフレキシブル基板ユニットと、前記ＤＶＤＬＤユニットが光出射側方向に光軸を中心軸として回転可能なように取り付けられた光学台と、前記ＤＶＤＬＤユニットが脱落しないよう前記シールドケースを光軸方向に押さえつけるよう前記光学台に固定されたユニット押さえバネと、前記光学台に前記ＤＶＤＬＤユニットから出射された光を前記対物レンズに入射するよう構成された光学系を有し、前記光学台に前記アクチュエータベースを調整固定した時、前記ボビンの前記アクチュエータベースに固定されている側の反対側で、前記光学台に固定されているように構成としたことを特徴としたものであり、ボビンがその上下でＡＣＴベースおよび光学基台の固定されるため、アクチュエータ駆動時の反力を受けてもボビンは微少に変位しないため良好なアクチュエータの制御特性を得るとともに、光ピックアップのほぼ中央部に支柱状にボビンを構成することで、より剛性の高い光ピックアップを提供できる。
【００１７】
以下、本発明の実施の形態について、図１から図４を用いて説明する。
【００１８】
図１及び図２は本発明の実施の形態１による光ピックアップを示す分解斜視図を示し、図３及び図４は本発明の実施の形態１による光ピックアップを示す斜視図を示し、図１において、１は対物レンズであり、２は対物レンズ１を保持するレンズホルダーであり、このレンズホルダー２にはディスクに対し接線方向１４と同じ方向に着磁されたマグネット３ａ、３ｂが対物レンズ１とは反対方向にオフセットした位置に固定されている。このレンズホルダー２にはバネ基板４が固着され、このバネ基板４ａ、４ｂにはレンズホルダー２を片持ち保持するための４本の金属線バネ５ａ〜５ｄが半田により固定されている。この金属線バネ５ａ〜５ｄはサスホルダー６に一体成形されたダンピング支持板７にサスホルダー６を通過して半田固定されており固定端となっている。前記レンズホルダー２はディスクに対し垂直方向１６と半径方向１７の２軸方向に移動可能になっている。
【００１９】
また、マグネット３ａ、３ｂと極めて近接してボビン８がアクチュエータベース９に取り付けられている。このボビン８には、ディスクに対し垂直方向１６の軸にフォーカスコイル１０と、ディスクに対しは半径方向１７の軸に対し同方向にトラッキングコイル１１が直接巻装されている。フォーカスコイル１０、トラッキングコイル１１のそれぞれのコイルに電流が流れると、レンズホルダー２はディスクに対し垂直方向１６並びに半径方向１７に移動する。また、フォーカスコイル１０及びトラッキングコイル１１の各始端、終端がＡＣＴ−ＦＰＣ１２と半田付けされており、ＡＣＴ−ＦＰＣ１２の端子が前記２つのコイルと導通されている。またレンズホルダー２には、バランスを保つためにカウンターウエイト１３および対物レンズ１が万一ディスクと衝突したとき対物レンズ１とディスを保護するためのレンズプロテクター１４が固着されている。
【００２０】
サスホルダー６はアクチュエータベース９に固定されており、アクチュエータベース９はディスクに対し略平行に構成され、対物レンズ駆動装置１８を形成している。この対物レンズ駆動装置１８は光学台１９に対して最良位置に調整固定されている。また、対物レンズ駆動装置１８を調整固定後、対物レンズ駆動装置１８の一部であるボビン８のアクチュエータベース９と反対側の脚部８ａが光学台１８に固定されている。光学台１９にはプリズム２０、コリメータレンズ２１、ホロユニット２２、と立ち上げミラー２３がディスクに対し接線方向１５に配置され、コリメータレンズ２１は前記接線方向１５に移動調整可能なように取り付けられている。
【００２１】
また、フレキシブル基板ユニット２４には、ＤＶＤＬＤユニット２５がレーザーの出射方向と逆方向に実装されており、高周波モジュール基板２６も実装されている。高周波モジュール基板２６部はＤＶＤＬＤユニット２５の背面側に折り畳めるようになっており、シールドケース２７にて高周波モジュール基板２６を包むようにかぶせて積層固定されている。また、フレキシブル基板ユニット２４には、ほかにＣＤＬＤユニット２８がレーザーの出射方向に実装されており、レーザーの出射方向と逆方向の背面ににはＣＤＭ調整板２９が、レーザーの出射側にはＣＤＭホルダー３０が固着されている。
【００２２】
前記フレキシブル基板ユニット２４は光学台１９にＤＶＤＬＤユニット２５が光軸を中心に回転可能にディスクに対し平行な面内にディスクの接線方向１５から傾けて取り付けられ、また、ＣＤＬＤユニット２８はディスクに対し接線方向１５に取り付けられ、その接線方向１５に垂直な面内にて移動調整可能となている。前記ＤＶＤＬＤユニット２５とＣＤＬＤユニット２８は光学台１９の側面に固定され、光学台１９の厚みの範囲内に構成された長いユニット押さえバネＡ３１、ユニット押さえバネＢ３２によりそれぞれレーザーの出射方向に押圧保持されている。ユニット押さえバネＡ３１は光学台１９に片持ち固定されており、ディスクに対し垂直方向１６への位置ばらつきをなくし、安定した押圧位置並びにユニット押さえバネＡ３１のずれを規制できるように、先端は凸部３１ａ形状を有し、凸部３１ａはシールドケース２７に設けられた凹溝２７ａに嵌合するように接触し、押圧している。また、フレキシブル基板ユニット２３の浮きを防止するために、ディスクに対し平行な面方向から光学台１９を挟み込むように２つの押さえバネＡ３３、押さえバネＢ３４がそれぞれ取付部分３３ａ、３４ａにおいて光学台１９にビス（図示せず）止めされ、取り付けられている。そして前記押さえバネＢ３４の一部が、前記ユニット押さえバネＡ３１に係合固定されている。
【００２３】
また、ＤＶＤＬＤユニット２５並びにＣＤＬＤユニット２８から出射された光はプリズム２０を反射並びに透過してコリメートレンズ２１にて平行光となり、ホロユニット２２を透過後、立ち上げミラー２３にてディスクに対し垂直方向１６に折り曲げられ、対物レンズ１に入射される。
【００２４】
以上のような構成において、ユニット押さえバネＡ３１は光学台１９に片持ち固定されているが、光学台１９に設けられたＬ字状突起部１９ａにより、ユニット押さえバネＡ３０の固定端部３１ｂと押圧部（突起部３１ａ）の中間部を抱え込むように保持されるため、ユニット押さえバネＡ３１自身のバネ圧で仮固定、自己保持され、光学台１９にビスなどで固定する場合の作業性が大幅に改善されると共に、固定する力も半減できるため、ビスの締め付けトルクを低く設定できるなど、光学台１９がクリープ特性を有する亜鉛などの場合特に有効である。
【００２５】
また前記押さえバネＡ３３は、取付部３３ａで光学台１９にビス止めされると同時にそのほぼ反対側の一部３３ｂが、前記光学台１９の突起部１９ｂおよび略平面部１９ｃに狭持されているため、フレキシブル基板２４とともに光学台１８にほぼ密着固定され、押さえバネＡ３３がフレキシブル基板２４の反力で浮き上がることなく、薄型の光ピックを実現できることとなる。
【００２６】
また対物レンズ駆動装置１８は光学台１９に調整固定され、対物レンズ駆動装置１８の一部であるボビン８のアクチュエータベース９に固定された部分と反対側の脚部８ａが光学台１９に固定されているため、ボビン８が、光ピックの上面に位置するアクチュエータベース９と下面に位置する光学台１９をつなぐ柱のようになり、アクチュエータベース９と光学台１９が直接固定されていることもあって、強固な立体構造を実現している。またボビン８自身も、上下でしっかり固定されるため、対物レンズ駆動時にマグネット３ａ、３ｂから受ける反力によって有害な振動や変位を発生することもなく、本来の特性を損なうことのない光ピックを実現できることとなる。
【００２７】
また、図４は、アクチュエータベース９において曲げ部９ａのほぼ反対側に位置する曲げ部９ａとほぼ同形状の曲げ部９ｂと光学台１９の一部１９ｄを矢印Ａから見た部分斜視図であるが、対物レンズ駆動装置１８を光学台１９に対して最良位置に調整し、固定する時、対物レンズ駆動装置１８の一部であるアクチュエータベース９の曲げ脚部９ｂを接着剤により光学台１９に固定するが、図４に示すように、光学台１９の外壁部１９ｄに接着剤がたまりやすい構造を設けているため、アクチュエータベース９の曲げ脚部９ｂを包み込むように十分な接着剤を用いることができ、なおかつ接着剤が光学台１９の内部に流れ込むことのない、信頼性に優れた光ピックを実現しうることとなる。
【産業上の利用可能性】
【００２８】
本発明は、有害な振動や変位のない特性の良好な光ピックアップを提供できる。
【図面の簡単な説明】
【００２９】
【図１】本発明の実施の形態１における光ピックアップを示す分解斜視図
【図２】本発明の実施の形態１における光ピックアップを示す斜視図
【図３】本発明の実施の形態１における光ピックアップを示す斜視図
【図４】本発明の実施の形態１における光ピックアップを示す部分分解斜視図
【図５】従来の光ピックアップを示す分解斜視図
【図６】従来の光ピックアップを示す斜視図
【符号の説明】
【００３０】
１  対物レンズ
２  レンズホルダー
３  マグネット
６  サスホルダー
８  ボビン
９  アクチュエータベース
１５  接線方向
１６  垂直方向
１７  半径方向
１８  対物レンズ駆動装置
１９  光学台
２４  フレキシブル基板ユニット
２５  ＤＶＤＬＤユニット
２６  高周波モジュール基板
２７  シールドケース
３１  ユニット押さえバネＡ
３２  ユニット押さえバネＢ
３３  押さえバネＡ
３４  押さえバネＢ
【図１】
2004206880.tif 000003
【図２】
2004206880.tif 000004
【図３】
2004206880.tif 000005
【図４】
2004206880.tif 000006
【図５】
2004206880.tif 000007
【図６】
2004206880.tif 000008